(57)【要約】【課題】無線基地局ｅＮＢが無線基地局ＨｅＮＢ２のアクセスモード＃１を取得することなく、移動局ＵＥが「Ｈｙｂｒｉｄ」で動作している無線基地局ＨｅＮＢ２配下のセルに対してハンドオーバする。【解決手段】本発明に係る移動通信方法は、無線基地局ＨｅＮＢ２が、交換局ＭＭＥとの間のＳ１コネクションを確立する際に、交換局ＭＭＥに対して、無線基地局ＨｅＮＢ２のＣＳＧ-ＩＤ＝＃３１及びアクセスモード＃１を通知する工程と、交換局ＭＭＥが、管理部３２に、ＣＳＧ-ＩＤ＃３１とアクセスモード＃１とを関連付けて記憶する工程とを有する。【選択図】図５
2011078022.tif 000002
【特許請求の範囲】
【請求項１】
第１無線基地局が、交換局との間のコネクションを確立する際に、該交換局に対して、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを通知する工程と、
前記交換局が、管理部に、前記登録グループ識別情報と前記アクセスモードとを関連付けて記憶する工程とを有することを特徴とする移動通信方法。
【請求項２】
第１無線基地局が、ゲートウェイ装置との間のコネクションを確立する際に、該ゲートウェイ装置に対して、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを通知する工程と、
前記ゲートウェイ装置が、交換局に対して、前記第１無線基地局の前記登録グループ識別情報及び前記アクセスモードを通知する工程と、
前記交換局が、管理部に、前記登録グループ識別情報と前記アクセスモードとを関連付けて記憶する工程とを有することを特徴とする移動通信方法。
【請求項３】
移動局が、第２無線基地局に対して、前記第１無線基地局の識別情報及び登録グループ識別情報を含む測定報告を送信する工程と、
前記第２無線基地局が、前記移動局から受信した前記測定報告に応じて、前記交換局に対して、前記第１無線基地局の識別情報及び登録グループ識別情報を含むハンドオーバ要求信号を送信する工程と、
前記交換局が、前記第２無線基地局から受信した前記ハンドオーバ要求信号に含まれる前記第１無線基地局の登録グループ識別情報及び自身によって管理されている移動局の登録グループ識別情報に基づいて、該移動局が該第１無線基地局における登録移動局或いは非登録移動局のいずれであるのかについて判定し、該第２無線基地局から受信した該ハンドオーバ要求信号に含まれる該第１無線基地局の登録グループ識別情報及び前記管理部に基づいて、該第１無線基地局のアクセスモードを判定する工程と、
前記交換局が、前記移動局が前記第１無線基地局における非登録移動局であり、該第１無線基地局のアクセスモードが登録移動局及び非登録移動局のそれぞれに対して差別化して移動通信サービスを提供することができることを示すと判定した場合に、該第１無線基地局に対して、所定情報を含むハンドオーバ要求信号を送信する工程と、
前記第１無線基地局が、前記交換局から受信した前記ハンドオーバ要求信号に含まれている前記所定情報に基づいて、前記移動局に対して非登録移動局用のリソース割り当て処理を行う工程とを更に有することを特徴とする請求項１又は２に記載の移動通信方法。
【請求項４】
無線基地局であって、
交換局との間のコネクションを確立する際に、該交換局に対して、前記無線基地局における登録移動局のグループを識別する登録グループ識別情報、及び、該無線基地局における登録移動局及び非登録移動局のそれぞれに対して差別化して移動通信サービスを提供することができるか否かについて示すアクセスモードを通知するように構成されているコネクション制御部を具備することを特徴とする無線基地局。
【請求項５】
無線基地局であって、
ゲートウェイ装置との間のコネクションを確立する際に、該ゲートウェイ装置に対して、前記無線基地局における登録移動局のグループを識別する登録グループ識別情報、及び、該無線基地局における登録移動局及び非登録移動局のそれぞれに対差別化して移動通信サービスを提供することができるか否かについて示すアクセスモードを通知するように構成されているコネクション制御部を具備することを特徴とする無線基地局。
【請求項６】
第１無線基地局との間のコネクションを確立する際に、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを取得するように構成されているコネクション制御部と、
取得した前記登録グループ識別情報と前記アクセスモードとを関連付けて記憶するように構成されている管理部とを具備することを特徴とする交換局。
【請求項７】
第２無線基地局から受信したハンドオーバ要求信号に含まれる前記第１無線基地局の登録グループ識別情報及び自身によって管理されている移動局の登録グループ識別情報に基づいて、該移動局が該第１無線基地局における登録移動局或いは非登録移動局のいずれであるのかについて判定し、該第２無線基地局から受信した該ハンドオーバ要求信号に含まれる該第１無線基地局の登録グループ識別情報及び前記管理部に基づいて、該第１無線基地局のアクセスモードを判定するように構成されている判定部と、
前記移動局が前記第１無線基地局における非登録移動局であり、該第１無線基地局のアクセスモードが登録移動局及び非登録移動局のそれぞれに対して移動通信サービスを提供することができることを示すと判定した場合に、該第１無線基地局に対して、所定情報を含むハンドオーバ要求信号を送信するように構成されているハンドオーバ処理部とを更に具備することを特徴とする請求項６に記載の交換局。
【発明の詳細な説明】
【技術分野】
【０００１】
本発明は、移動通信方法、無線基地局及び交換局に関する。
【背景技術】
【０００２】
３ＧＰＰで規定されているＬＴＥ（Ｌｏｎｇ  Ｔｅｒｍ  Ｅｖｏｌｕｒｉｏｎ）方式の移動通信システムでは、「Ｏｐｅｎ」、「Ｃｌｏｓｅｄ」及び「Ｈｙｂｒｉｄ」のいずれかの状態で動作可能な無線基地局ＨｅＮＢ（Ｈｏｍｅ  ｅＮＢ）を設けることができる。
【０００３】
「Ｏｐｅｎ」で動作している無線基地局ＨｅＮＢ（或いは、セル、以下、同様）は、無線基地局ＨｅＮＢにおける登録移動局及び非登録移動局の両方に対して移動通信サービスを提供することができるように構成されている。
【０００４】
ここで、無線基地局ＨｅＮＢにおける登録移動局は、無線基地局ＨｅＮＢのＣＳＧ（Ｃｌｏｓｅｄ  Ｓｕｂｓｃｒｉｂｅｒ  Ｇｒｏｕｐ）-ＩＤによって特定されるＣＳＧに属する移動局ＵＥであり、無線基地局ＨｅＮＢにおける非登録移動局は、無線基地局ＨｅＮＢのＣＳＧ-ＩＤによって特定されるＣＳＧに属していない移動局ＵＥである。
【０００５】
また、「Ｃｌｏｓｅｄ」で動作している無線基地局ＨｅＮＢは、無線基地局ＨｅＮＢにおける登録移動局のみに対して移動通信サービスを提供することができるように構成されている。
【０００６】
さらに、「Ｈｙｂｒｉｄ」で動作している無線基地局ＨｅＮＢ（或いは、セル）は、無線基地局ＨｅＮＢにおける登録移動局及び非登録移動局のそれぞれに対して差別化して移動通信サービスを提供することができるように構成されている。
【０００７】
例えば、「Ｈｙｂｒｉｄ」で動作している無線基地局ＨｅＮＢは、登録移動局からの通信開始要求を優先的に受け付けて高速通信用のリソースを割り当てるように構成されており、非登録移動局からの通信開始要求の優先度を下げたり受け付けなかったりするように構成されていてもよい。
【０００８】
以下、図７を参照して、かかる移動通信システムにおいて、移動局ＵＥが「Ｈｙｂｒｉｄ」で動作している無線基地局ＨｅＮＢ２配下のセルに対してハンドオーバする際の動作について説明する。
【０００９】
図７に示すように、ステップＳ３００１において、移動局ＵＥは、無線基地局ｅＮＢに対して、例えば、無線基地局ＨｅＮＢ２のＰＣＩ（Ｐｈｙｓｉｃａｌ  Ｃｅｌｌ  Ｉｄｅｎｔｉｔｙ）やＥ-ＣＧＩ（Ｅ‐ＵＴＲＡＮ  Ｃｅｌｌ  Ｇｒｏｂａｌ  Ｉｄｅｎｔｉｔｙ）やＣＳＧ-ＩＤ＝＃３１を含む測定報告（Ｍｅａｓｕｒｅｍｅｎｔ  Ｒｅｐｏｒｔ）を送信する。
【００１０】
ステップＳ３００２において、無線基地局ｅＮＢは、交換局ＭＭＥに対して、無線基地局ＨｅＮＢ２の識別情報（ＨｅＮＢ-ＩＤ＝ｙｙｙ.００１）やＣＳＧ-Ｉ＝＃３１やアクセスモード＃１を含むハンドオーバ要求信号（ＨＯ  ＲＥＱＵＩＲＥＤ）を送信する。
【００１１】
なお、無線基地局ｅＮＢは、移動局ＵＥから測定報告を介して、無線基地局ＨｅＮＢ２のアクセスモード＃１を取得するように構成されていてもよい（方法１）。ここで、移動局ＵＥは、無線基地局ＨｅＮＢ２によって送信されている報知情報に基づいて、無線基地局ＨｅＮＢ２のアクセスモード＃１を把握するように構成されていてもよい。
【００１２】
或いは、無線基地局ｅＮＢは、移動局ＵＥから測定報告に含まれる無線基地局ＨｅＮＢ２が「Ｈｙｂｒｉｄ」用のＰＣＩのビット範囲内に含まれているか否かに基づいて、無線基地局ＨｅＮＢ２のアクセスモード＃１を決定するように構成されていてもよい（方法２）。ここで、「Ｈｙｂｒｉｄ」用のＰＣＩのビット範囲は、予めネットワーク内で決められているものとする。
【００１３】
なお、アクセスモード＃１は、無線基地局ＨｅＮＢが「Ｈｙｂｒｉｄ」で動作していることを示す。
【００１４】
ステップＳ３００３において、交換局ＭＭＥは、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び自身によって管理されている移動局ＵＥのＣＳＧ-ＩＤに基づいて、移動局ＵＥが無線基地局ＨｅＮＢ２における登録移動局或いは非登録移動局のいずれであるのかについて判定し、無線基地局ｅＮＢから受信したハンドオーバ要求信号（ＨＯ  ＲＥＱＵＩＲＥＤ）に含まれる無線基地局ＨｅＮＢ２のアクセスモード＃１に基づいて、無線基地局ＨｅＮＢ２が「Ｈｙｂｒｉｄ」で動作しているか否かについて判定する。
【００１５】
交換局ＭＭＥは、無線基地局ＨｅＮＢ２が「Ｈｙｂｒｉｄ」で動作しており、かつ、移動局ＵＥが無線基地局ＨｅＮＢ２における非登録移動局であると判定した場合、ステップＳ３００４Ａにおいて、ゲートウェイ装置ＨｅＮＢ-ＧＷに対して、所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）を含むハンドオーバ要求信号（ＨＯ  ＲＥＱＵＥＳＴ）を送信し、ステップＳ３００４Ｂにおいて、ゲートウェイ装置ＨｅＮＢ-ＧＷは、無線基地局ＨｅＮＢ２に対して、かかるハンドオーバ要求信号（ＨＯ  ＲＥＱＵＥＳＴ）を送信する。
【００１６】
ステップＳ３００５において、無線基地局ＨｅＮＢ２は、ゲートウェイ装置ＨｅＮＢ-ＧＷから受信したハンドオーバ要求信号（ＨＯ  ＲＥＱＵＥＳＴ）に含まれている無線基地局ＨｅＮＢ２のＣＳＧ-ＩＤ＃３２の正当性を確認する。
【００１７】
かかる無線基地局ＨｅＮＢ２のＣＳＧ-ＩＤ＃３２の正当性が確認された場合、無線基地局ＨｅＮＢ２は、かかるハンドオーバ要求信号（ＨＯ  ＲＥＱＵＥＳＴ）に含まれている所定情報に基づいて、移動局ＵＥに対して非登録移動局用のリソース割り当て処理を行う。
【００１８】
ステップＳ３００６Ａにおいて、無線基地局ＨｅＮＢ２は、ゲートウェイ装置ＨｅＮＢ-ＧＷに対して、上述のリソースの割り当て結果を含むハンドオーバ要求応答信号（ＨＯ  ＲＥＱＵＥＳＴ  ＡＣＫ）を送信し、ステップＳ３００６Ｂにおいて、ゲートウェイ装置ＨｅＮＢ-ＧＷは、交換局ＭＭＥに対して、かかるハンドオーバ要求応答信号（ＨＯ  ＲＥＱＵＥＳＴ  ＡＣＫ）を送信する。
【先行技術文献】
【非特許文献】
【００１９】
【非特許文献１】３ＧＰＰ  ＴＳ３６.３００
【非特許文献２】３ＧＰＰ  ＴＳ３６.３３１
【非特許文献３】３ＧＰＰ  ＴＳ３６.４１３
【発明の概要】
【発明が解決しようとする課題】
【００２０】
上述のように、従来の移動通信システムでは、方法１或いは方法２によって、無線基地局ｅＮＢが、無線基地局ＨｅＮＢ２のアクセスモード＃１を取得する必要があった。
【００２１】
ここで、無線基地局ｅＮＢが、方法１によって無線基地局ＨｅＮＢ２のアクセスモード＃１を取得する場合、移動局ＵＥが、無線基地局ＨｅＮＢ２によって送信されている報知情報に基づいて無線基地局ＨｅＮＢ２のアクセスモード＃１を把握する必要があり、移動局ＵＥの構成を複雑にするという問題点があった。
【００２２】
また、無線基地局ｅＮＢが、方法１によって無線基地局ＨｅＮＢ２のアクセスモード＃１を取得する場合、移動局ＵＥが、無線基地局ｅＮＢに対して送信する測定報告に無線基地局ＨｅＮＢ２のアクセスモード＃１を含める必要があり、測定報告のオーバーヘッドを増やすという問題点があった。
【００２３】
一方、無線基地局ｅＮＢが、方法２によって無線基地局ＨｅＮＢ２のアクセスモード＃１を取得する場合、無線基地局ｅＮＢが、移動局ＵＥから測定報告に含まれる無線基地局ＨｅＮＢ２が「Ｈｙｂｒｉｄ」用のＰＣＩのビット範囲内に含まれているか否かについて判定する必要があり、無線基地局ｅＮＢの構成を複雑にするという問題点があった。
【００２４】
また、無線基地局ｅＮＢが、方法２によって無線基地局ＨｅＮＢ２のアクセスモード＃１を取得する場合、「Ｈｙｂｒｉｄ」用のＰＣＩのビット範囲を予約する必要があるため、マクロセルのネットワーク設計に影響を及ぼすという問題点があった。
【００２５】
そこで、本発明は、上述の課題に鑑みてなされたものであり、無線基地局ｅＮＢが無線基地局ＨｅＮＢ２のアクセスモード＃１を取得することなく、移動局ＵＥが「Ｈｙｂｒｉｄ」で動作している無線基地局ＨｅＮＢ２配下のセルに対してハンドオーバすることができる移動通信方法、無線基地局及び交換局を提供することを目的とする。
【課題を解決するための手段】
【００２６】
本発明の第１の特徴は、移動通信方法であって、第１無線基地局が、交換局との間のコネクションを確立する際に、該交換局に対して、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを通知する工程と、前記交換局が、管理部に、前記登録グループ識別情報と前記アクセスモードとを関連付けて記憶する工程とを有することを特徴とする。
【００２７】
本発明の第２の特徴は、移動通信方法であって、第１無線基地局が、ゲートウェイ装置との間のコネクションを確立する際に、該ゲートウェイ装置に対して、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを通知する工程と、前記ゲートウェイ装置が、交換局に対して、前記第１無線基地局の前記登録グループ識別情報及び前記アクセスモードを通知する工程と、前記交換局が、管理部に、前記登録グループ識別情報と前記アクセスモードとを関連付けて記憶する工程とを有することを要旨とする。
【００２８】
本発明の第３の特徴は、無線基地局であって、交換局との間のコネクションを確立する際に、該交換局に対して、前記無線基地局における登録移動局のグループを識別する登録グループ識別情報、及び、該無線基地局における登録移動局及び非登録移動局のそれぞれに対して差別化して移動通信サービスを提供することができるか否かについて示すアクセスモードを通知するように構成されているコネクション制御部を具備することを要旨とする。
【００２９】
本発明の第４の特徴は、無線基地局であって、ゲートウェイ装置との間のコネクションを確立する際に、該ゲートウェイ装置に対して、前記無線基地局における登録移動局のグループを識別する登録グループ識別情報、及び、該無線基地局における登録移動局及び非登録移動局のそれぞれに対して差別化して移動通信サービスを提供することができるか否かについて示すードを通知するように構成されているコネクション制御部を具備することを要旨とする。
【００３０】
本発明の第５の特徴は、交換局であって、第１無線基地局とのコネクションを確立する際に、該第１無線基地局における登録移動局のグループを識別する登録グループ識別情報、及び、該第１無線基地局における登録移動局及び非登録移動局のそれぞれに対して差別化して移動通信サービスを提供することができるか否かについて示すアクセスモードを取得するように構成されているコネクション制御部と、取得した前記登録グループ識別情報と前記アクセスモードとを関連付けて記憶するように構成されている管理部とを具備することを要旨とする。
【発明の効果】
【００３１】
以上説明したように、本発明によれば、無線基地局ｅＮＢが無線基地局ＨｅＮＢ２のアクセスモード＃１を取得することなく、移動局ＵＥが「Ｈｙｂｒｉｄ」で動作している無線基地局ＨｅＮＢ２配下のセルに対してハンドオーバすることができる移動通信方法、無線基地局及び交換局を提供することができる。
【図面の簡単な説明】
【００３２】
【図１】本発明の第１の実施形態に係る移動通信システムの全体構成図である。
【図２】本発明の第１の実施形態に係る無線基地局ＨｅＮＢの機能ブロック図である。
【図３】本発明の第１の実施形態に係るゲートウェイ装置ＨｅＮＢ-ＧＷの機能ブロック図である。
【図４】本発明の第１の実施形態に係る交換局ＭＭＥの機能ブロック図である。
【図５】本発明の第１の実施形態に係る移動通信システムの動作を示すシーケンス図である。
【図６】本発明の第１の実施形態に係る移動通信システムの動作を示すシーケンス図である。
【図７】従来の移動通信システムの動作を示すシーケンス図である。
【発明を実施するための形態】
【００３３】
（本発明の第１の実施形態に係る移動通信システムの構成）
図１乃至図４を参照して、本発明の第１の実施形態に係る移動通信システムの構成について説明する。
【００３４】
本実施形態に係る移動通信システムは、ＬＴＥ方式の移動通信システムであって、図１に示すように、交換局ＭＭＥと、交換局ＭＭＥに接続されている無線基地局ｅＮＢ及び無線基地局ＨｅＮＢ１と、交換局ＭＭＥに接続されているゲートウェイ装置ＨｅＮＢ-ＧＷと、ゲートウェイ装置ＨｅＮＢ-ＧＷに接続されている無線基地局ＨｅＮＢ２及び無線基地局ＨｅＮＢ３とを具備している。
【００３５】
ここで、無線基地局ｅＮＢの識別情報ｅＮＢ-ＩＤは「ｚｚｚ.０００」であり、ゲートウェイ装置ＨｅＮＢ-ＧＷの識別情報ＨｅＮＢ-ＩＤは「ｙｙｙ.０００」であり、無線基地局ＨｅＮＢ１の識別情報ＨｅＮＢ-ＩＤは「ｘｘｘ.１００」であり、無線基地局ＨｅＮＢ２の識別情報ＨｅＮＢ-ＩＤは「ｙｙｙ.００１」であり、無線基地局ＨｅＮＢ３の識別情報ＨｅＮＢ-ＩＤは「ｙｙｙ.００２」である。
【００３６】
また、無線基地局ＨｅＮＢ１のＣＳＧ-ＩＤは「＃２２」であり、無線基地局ＨｅＮＢ２のＣＳＧ-ＩＤは「＃３１」であり、無線基地局ＨｅＮＢ３のＣＳＧ-ＩＤは「＃３２」である。
【００３７】
さらに、無線基地局ＨｅＮＢ１のアクセスモードは「＃０」であり、無線基地局ＨｅＮＢ２のアクセスモードは「＃１」であり、無線基地局ＨｅＮＢ３のアクセスモードは「＃０」である。
【００３８】
なお、アクセスモード＃１は、無線基地局ＨｅＮＢが「Ｈｙｂｒｉｄ」で動作していることを示し、アクセスモード＃０は、無線基地局ＨｅＮＢが「Ｈｙｂｒｉｄ」以外で動作していることを示す。
【００３９】
図２に示すように、無線基地局ＨｅＮＢ１乃至ＨｅＮＢ３（以下、代表して、無線基地局ＨｅＮＢと表記する）は、管理部１１と、Ｓ１コネクション制御部１２とを具備している。
【００４０】
管理部１１は、無線基地局ＨｅＮＢの識別情報ＨｅＮＢ-ＩＤやＣＳＧ-ＩＤやアクセスモードを管理するように構成されている。
【００４１】
Ｓ１コネクション制御部１２は、交換局ＭＭＥとの間のＳ１コネクションを確立する際に、交換局ＭＭＥに対して、無線基地局ＨｅＮＢのＣＳＧ-ＩＤ及びアクセスモードを通知するように構成されている。
【００４２】
或いは、Ｓ１コネクション制御部１２は、ゲートウェイ装置ＨｅＮＢ-ＧＷとの間のＳ１コネクションを確立する際に、ゲートウェイ装置ＨｅＮＢ-ＧＷに対して、無線基地局ＨｅＮＢのＣＳＧ-ＩＤ及びアクセスモードを通知するように構成されている。
【００４３】
具体的には、Ｓ１コネクション制御部１２は、交換局ＭＭＥ又はゲートウェイ装置ＨｅＮＢ-ＧＷに対して、無線基地局ＨｅＮＢのＣＳＧ-ＩＤ及びアクセスモードを含む「Ｓ１  ＳＥＴＵＰ  ＲＥＱＵＥＳＴ」を送信するように構成されている。
【００４４】
図３に示すように、ゲートウェイ装置ＨｅＮＢ-ＧＷは、Ｓ１コネクション制御部２１と、管理部２２とを具備している。
【００４５】
Ｓ１コネクション制御部２１は、無線基地局ＨｅＮＢとの間のＳ１コネクションを確立する際に、無線基地局ＨｅＮＢから、無線基地局ＨｅＮＢのＣＳＧ-ＩＤ及びアクセスモードを取得するように構成されている。
【００４６】
具体的には、Ｓ１コネクション制御部２１は、無線基地局ＨｅＮＢから、無線基地局ＨｅＮＢのＣＳＧ-ＩＤ及びアクセスモードを含む「Ｓ１  ＳＥＴＵＰ  ＲＥＱＵＥＳＴ」を受信するように構成されている。
【００４７】
また、Ｓ１コネクション制御部２１は、交換局ＭＭＥとの間のＳ１コネクションを確立する際に、交換局ＭＭＥに対して、配下の１つ又は複数の無線基地局ＨｅＮＢのＣＳＧ-ＩＤ及びアクセスモードを通知するように構成されている。
【００４８】
具体的には、Ｓ１コネクション制御部２１は、交換局ＭＭＥに対して、配下の１つ又は複数の無線基地局ＨｅＮＢのＣＳＧ-ＩＤ及びアクセスモードを含む「Ｓ１  ＳＥＴＵＰ  ＲＥＱＵＥＳＴ」を送信するように構成されている。
【００４９】
なお、Ｓ１コネクション制御部２１は、交換局ＭＭＥとの間のＳ１コネクションが確立されている状態で、配下の新たな無線基地局ＨｅＮＢが起動した場合には、交換局ＭＭＥに対して、かかる無線基地局ＨｅＮＢのＣＳＧ-ＩＤ及びアクセスモードを含む「ｅＮＢ ＣＯＮＦＩＧＵＲＡＴＩＯＮ  ＵＰＤＡＴＥ」を送信するように構成されている。
【００５０】
管理部２２は、ゲートウェイ装置ＨｅＮＢ-ＧＷの識別情報ＨｅＮＢ-ＩＤ、及び、配下の１つ又は複数の無線基地局ＨｅＮＢのＣＳＧ-ＩＤ及びアクセスモードを管理するように構成されている。
【００５１】
図４に示すように、交換局ＭＭＥは、Ｓ１コネクション制御部３１と、管理部３２と、ハンドオーバ処理部３３と、判定部３４とを具備している。
【００５２】
Ｓ１コネクション制御部３１は、無線基地局ＨｅＮＢとの間のＳ１コネクションを確立する際に、無線基地局ＨｅＮＢのＣＳＧ-ＩＤ及びアクセスモードを取得するように構成されている。
【００５３】
具体的には、Ｓ１コネクション制御部２１は、無線基地局ＨｅＮＢから、無線基地局ＨｅＮＢのＣＳＧ-ＩＤ及びアクセスモードを含む「Ｓ１  ＳＥＴＵＰ  ＲＥＱＵＥＳＴ」を受信するように構成されている。
【００５４】
また、Ｓ１コネクション制御部３１は、ゲートウェイ装置ＨｅＮＢ-ＧＷとの間のＳ１コネクションを確立する際に、ゲートウェイ装置ＨｅＮＢ-ＧＷ配下の１つ又は複数の無線基地局ＨｅＮＢのＣＳＧ-ＩＤ及びアクセスモードを取得するように構成されている。
【００５５】
具体的には、Ｓ１コネクション制御部２１は、ゲートウェイ装置ＨｅＮＢ-ＧＷから、ゲートウェイ装置ＨｅＮＢ-ＧＷ配下の１つ又は複数の無線基地局ＨｅＮＢのＣＳＧ-ＩＤ及びアクセスモードを含む「Ｓ１  ＳＥＴＵＰ  ＲＥＱＵＥＳＴ」を受信するように構成されている。
【００５６】
或いは、Ｓ１コネクション制御部２１は、ゲートウェイ装置ＨｅＮＢ-ＧＷから、ゲートウェイ装置ＨｅＮＢ-ＧＷ配下の１つ又は複数の無線基地局ＨｅＮＢのＣＳＧ-ＩＤ及びアクセスモードを含む「ｅＮＢ ＣＯＮＦＩＧＵＲＡＴＩＯＮ  ＵＰＤＡＴＥ」を受信するように構成されている。
【００５７】
管理部３２は、Ｓ１コネクション制御部２１によって取得されたＣＳＧ-ＩＤとアクセスモードとを関連付けて記憶するように構成されている。
【００５８】
ここで、管理部３２は、ゲートウェイ装置ＨｅＮＢ-ＧＷ配下の無線基地局ＨｅＮＢの識別情報ＨｅＮＢ-ＩＤとＣＳＧ-ＩＤとの対応関係については把握することができず、ゲートウェイ装置ＨｅＮＢ-ＧＷ配下の無線基地局ＨｅＮＢのＣＳＧ-ＩＤとアクセスモードとの対応関係について把握しているのみである。
【００５９】
判定部３４は、無線基地局ｅＮＢから受信したハンドオーバ要求信号（ＨＯ  ＲＥＱＵＩＲＥＤ）に含まれる無線基地局ＨｅＮＢのＣＳＧ-ＩＤ及び自身によって管理されている移動局ＵＥのＣＳＧ-ＩＤに基づいて、移動局ＵＥが当該無線基地局ＨｅＮＢにおける登録移動局或いは非登録移動局のいずれであるのかについて判定し、無線基地局ｅＮＢから受信したハンドオーバ要求信号（ＨＯ  ＲＥＱＵＩＲＥＤ）に含まれる無線基地局ＨｅＮＢのＣＳＧ-ＩＤ及び管理部３２に基づいて、当該無線基地局ＨｅＮＢのアクセスモードを判定するように構成されている。
【００６０】
ハンドオーバ処理部３３は、移動局ＵＥが当該無線基地局ＨｅＮＢにおける非登録移動局であり、当該無線基地局ＨｅＮＢが「Ｈｙｂｒｉｄ」で動作していると判定した場合に、無線基地局ＨｅＮＢ２に対して、所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）を含むハンドオーバ要求信号（ＨＯ  ＲＥＱＵＥＳＴ）を送信するように構成されている。
【００６１】
（本発明の第１の実施形態に係る移動通信システムの動作）
図５及び図６を参照して、本発明の第１の実施形態に係る移動通信システムの動作について説明する。
【００６２】
第１に、図５を参照して、本発明の第１の実施形態に係る移動通信システムにおいて、無線基地局ＨｅＮＢ１乃至ＨｅＮＢ３が起動する際の動作について説明する。
【００６３】
図５に示すように、ステップＳ１００１Ａにおいて、無線基地局ＨｅＮＢ２は、起動時に、ゲートウェイ装置ＨｅＮＢ-ＧＷに対して、無線基地局ＨｅＮＢ２のＣＳＧ-ＩＤ＝＃３１及びアクセスモード＃１を含む「Ｓ１  ＳＥＴＵＰ  ＲＥＱＵＥＳＴ」を送信する。
【００６４】
同様に、ステップＳ１００２Ａにおいて、無線基地局ＨｅＮＢ３は、起動時に、ゲートウェイ装置ＨｅＮＢ-ＧＷに対して、無線基地局ＨｅＮＢ３のＣＳＧ-ＩＤ＝＃３２及びアクセスモード＃０を含む「Ｓ１  ＳＥＴＵＰ  ＲＥＱＵＥＳＴ」を送信する。
【００６５】
ステップＳ１００３Ａにおいて、ゲートウェイ装置ＨｅＮＢ-ＧＷは、交換局ＭＭＥに対して、無線基地局ＨｅＮＢ２のＣＳＧ-ＩＤ＝＃３１及びアクセスモード＃１と無線基地局ＨｅＮＢ３のＣＳＧ-ＩＤ＝＃３２及びアクセスモード＃０とを含む「Ｓ１  ＳＥＴＵＰ  ＲＥＱＵＥＳＴ」を送信する。
【００６６】
ここで、交換局ＭＭＥは、ＣＳＧ-ＩＤ＝＃３１とアクセスモード＃１とを関連付けて記憶すると共に、ＣＳＧ-ＩＤ＝＃３２とアクセスモード＃０とを関連付けて記憶する。
【００６７】
ステップＳ１００３Ｂにおいて、交換局ＭＭＥは、ゲートウェイ装置ＨｅＮＢ-ＧＷに対して、「Ｓ１  ＳＥＴＵＰ  ＲＥＳＰＯＮＳＥ」を送信し、ステップＳ１００１Ｂにおいて、ゲートウェイ装置ＨｅＮＢ-ＧＷは、無線基地局ＨｅＮＢ２に対して、かかる「Ｓ１  ＳＥＴＵＰ  ＲＥＳＰＯＮＳＥ」を送信し、ステップＳ１００２Ｂにおいて、ゲートウェイ装置ＨｅＮＢ-ＧＷは、無線基地局ＨｅＮＢ３に対して、かかる「Ｓ１  ＳＥＴＵＰ  ＲＥＳＰＯＮＳＥ」を送信する。
【００６８】
一方、ステップＳ１００４Ａにおいて、無線基地局ＨｅＮＢ１は、起動時に、交換局ＭＭＥに対して、無線基地局ＨｅＮＢ１のＣＳＧ-ＩＤ＝＃２２及びアクセスモード＃０を含む「Ｓ１  ＳＥＴＵＰ  ＲＥＱＵＥＳＴ」を送信する。
【００６９】
ここで、交換局ＭＭＥは、ＣＳＧ-ＩＤ＝＃２２とアクセスモード＃０とを関連付けて記憶し、ステップＳ１００４Ｂにおいて、無線基地局ＨｅＮＢ１に対して、「Ｓ１  ＳＥＴＵＰ  ＲＥＳＰＯＮＳＥ」を送信する。
【００７０】
第２に、図６を参照して、かかる移動通信システムにおいて、移動局ＵＥが無線基地局ＨｅＮＢ２配下のセルに対してハンドオーバする際の動作について説明する。
【００７１】
図６に示すように、ステップＳ２００１において、移動局ＵＥは、無線基地局ｅＮＢに対して、例えば、無線基地局ＨｅＮＢ２のＰＣＩやＥ-ＣＧＩやＣＳＧ-ＩＤ＝＃３１を含む測定報告を送信する。
【００７２】
ステップＳ１００２において、無線基地局ｅＮＢは、交換局ＭＭＥに対して、無線基地局ＨｅＮＢ２の識別情報（ＨｅＮＢ-ＩＤ＝ｙｙｙ.００１）やＣＳＧ-Ｉ＝＃３１を含むハンドオーバ要求信号（ＨＯ  ＲＥＱＵＩＲＥＤ）を送信する。ここで、無線基地局ｅＮＢは、無線基地局ＨｅＮＢ２のアクセスモード＃１を取得する必要はない。
【００７３】
ステップＳ１００３において、交換局ＭＭＥは、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び「ＵＥ  ＣＳＧ  Ｓｕｂｓｃｒｉｐｔｉｏｎ  ｉｎｆｏ」内の「ＣＳＧ-ＩＤリスト」内に管理されている移動局ＵＥのＣＳＧ-ＩＤに基づいて、移動局ＵＥが無線基地局ＨｅＮＢ２における登録移動局或いは非登録移動局のいずれであるのかについて判定する。
【００７４】
また、交換局ＭＭＥは、管理部３２を参照し、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１に関連付けて記憶されている無線基地局ＨｅＮＢ２のアクセスモード＃１を取得する。
【００７５】
ここで、交換局ＭＭＥは、無線基地局ＨｅＮＢ２が「Ｈｙｂｒｉｄ」で動作しており、かつ、移動局ＵＥが無線基地局ＨｅＮＢ２における非登録移動局であると判定した場合、ステップＳ２００４Ａにおいて、ゲートウェイ装置ＨｅＮＢ-ＧＷに対して、所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）を含むハンドオーバ要求信号（ＨＯ  ＲＥＱＵＥＳＴ）を送信し、ステップＳ２００４Ｂにおいて、ゲートウェイ装置ＨｅＮＢ-ＧＷは、無線基地局ＨｅＮＢ２に対して、かかるハンドオーバ要求信号（ＨＯ  ＲＥＱＵＥＳＴ）を送信する。
【００７６】
ステップＳ２００５において、無線基地局ＨｅＮＢ２は、ゲートウェイ装置ＨｅＮＢ-ＧＷから受信したハンドオーバ要求信号（ＨＯ  ＲＥＱＵＥＳＴ）に含まれている無線基地局ＨｅＮＢ２のＣＳＧ-ＩＤ＃３２の正当性を確認する。
【００７７】
かかる無線基地局ＨｅＮＢ２のＣＳＧ-ＩＤ＃３２の正当性が確認された場合、無線基地局ＨｅＮＢ２は、かかるハンドオーバ要求信号（ＨＯ  ＲＥＱＵＥＳＴ）に含まれている所定情報に基づいて、移動局ＵＥに対して非登録移動局用のリソース割り当て処理を行う。
【００７８】
ステップＳ２００６Ａにおいて、無線基地局ＨｅＮＢ２は、ゲートウェイ装置ＨｅＮＢ-ＧＷに対して、上述のリソースの割り当て結果を含むハンドオーバ要求応答信号（ＨＯ  ＲＥＱＵＥＳＴ  ＡＣＫ）を送信し、ステップＳ２００６Ｂにおいて、ゲートウェイ装置ＨｅＮＢ-ＧＷは、交換局ＭＭＥに対して、かかるハンドオーバ要求応答信号（ＨＯ  ＲＥＱＵＥＳＴ  ＡＣＫ）を送信する。
【００７９】
（本発明の第１の実施形態に係る移動通信システムの作用・効果）
本発明の第１の実施形態に係る移動通信システムによれば、無線基地局ＨｅＮＢ（或いは、ゲートウェイ装置ＨｅＮＢ-ＧＷ）と交換局ＭＭＥとの間のＳ１コネクションが確立される際に、交換局ＭＭＥに対して、無線基地局ＨｅＮＢのＣＳＧ-ＩＤとアクセスモードとの対応関係を通知するように構成されているため、移動局ＵＥが無線基地局ｅＮＢ配下のセルから無線基地局ＨｅＮＢ配下のセルに対してハンドオーバする際に、無線基地局ｅＮＢが無線基地局ＨｅＮＢのアクセスモードを取得する必要がない。
【００８０】
その結果、移動局ＵＥが、無線基地局ＨｅＮＢ２によって送信されている報知情報に基づいて無線基地局ＨｅＮＢ２のアクセスモード＃１を把握する必要がなく、移動局ＵＥの構成を複雑にするという問題点を解消することができる。
【００８１】
また、移動局ＵＥが、無線基地局ｅＮＢに対して送信する測定報告に無線基地局ＨｅＮＢ２のアクセスモード＃１を含める必要があり、測定報告のオーバーヘッドを増やすという問題点を解決することができる。
【００８２】
或いは、無線基地局ｅＮＢが、移動局ＵＥから測定報告に含まれる無線基地局ＨｅＮＢ２が「Ｈｙｂｒｉｄ」用のＰＣＩのビット範囲内に含まれているか否かについて判定する必要があり、無線基地局ｅＮＢの構成を複雑にするという問題点を解決することができる。
【００８３】
また、「Ｈｙｂｒｉｄ」用のＰＣＩのビット範囲を予約する必要があるため、マクロセルのネットワーク設計に影響を及ぼすという問題点を解決することができる。
【００８４】
また、無線基地局ｅＮＢから交換局ＭＭＥに対して送信されるハンドオーバ要求信号（ＨＯ  ＲＥＱＵＩＲＥＤ）のメッセージ内容を変更する必要がなくなる。
【００８５】
以上に述べた本実施形態の特徴は、以下のように表現されていてもよい。
【００８６】
本実施形態の第１の特徴は、移動通信方法であって、無線基地局ＨｅＮＢ２（第１無線基地局）が、交換局ＭＭＥとの間のＳ１コネクションを確立する際に、交換局ＭＭＥに対して、無線基地局ＨｅＮＢ２のＣＳＧ-ＩＤ＝＃３１（第１無線基地局における登録移動局のグループを識別する登録グループ識別情報）、及び、無線基地局ＨｅＮＢ２における登録移動局及び非登録移動局のそれぞれに対して差別化して移動通信サービスを提供することができるか否かについて示すアクセスモード＃１を通知する工程と、交換局ＭＭＥが、管理部３２に、ＣＳＧ-ＩＤ＃３１とアクセスモード＃１とを関連付けて記憶する工程とを有することを要旨とする。
【００８７】
本実施形態の第２の特徴は、移動通信方法であって、無線基地局ＨｅＮＢ２が、ゲートウェイ装置ＨｅＮＢ-ＧＷとの間のＳ１コネクションを確立する際に、ゲートウェイ装置ＨｅＮＢ-ＧＷに対して、無線基地局ＨｅＮＢ２のＣＳＧ-ＩＤ＝＃３１及びアクセスモードを通知する工程と、ゲートウェイ装置ＨｅＮＢ-ＧＷが、交換局ＭＭＥに対して、無線基地局ＨｅＮＢ２のＣＳＧ-ＩＤ＝＃３１及びアクセスモード＃１を通知する工程と、交換局ＭＭＥが、管理部３２に、ＣＳＧ-ＩＤ＃３１とアクセスモード＃１とを関連付けて記憶する工程とを有することを要旨とする。
【００８８】
本実施形態の第１及び第２の特徴において、移動局ＵＥが、無線基地局ｅＮＢ（第２無線基地局）に対して、無線基地局ＨｅＮＢ２の識別情報（ｅＮＢ-ＩＤ＝ｙｙｙ.００１）及びＣＳＧ-ＩＤ＝＃３１を含む測定報告（Ｍｅａｓｕｒｅｍｅｎｔ  Ｒｅｐｏｒｔ）を送信する工程と、無線基地局ｅＮＢが、移動局ＵＥから受信した測定報告に応じて、交換局ＭＭＥに対して、無線基地局ＨｅＮＢ２の識別情報（ＨｅＮＢ-ＩＤ＝ｙｙｙ.００１）及びＣＳＧ-ＩＤ＝＃３１を含むハンドオーバ要求信号（ＨＯ  ＲＥＱＵＩＲＥＤ）を送信する工程と、交換局ＭＭＥが、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び自身によって管理されている移動局ＵＥのＣＳＧ-ＩＤに基づいて、移動局ＵＥが無線基地局ＨｅＮＢ２における登録移動局或いは非登録移動局のいずれであるのかについて判定し、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び管理部３２に基づいて、無線基地局ＨｅＮＢ２のアクセスモードを判定する工程と、交換局ＭＭＥが、移動局ＵＥが無線基地局ＨｅＮＢ２における非登録移動局であり、無線基地局ＨｅＮＢ２が「Ｈｙｂｒｉｄ」で動作している（登録移動局及び非登録移動局のそれぞれに対して差別化して移動通信サービスを提供することができる）と判定した場合に、無線基地局ＨｅＮＢ２に対して、所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）を含むハンドオーバ要求信号（ＨＯ  ＲＥＱＵＥＳＴ）を送信する工程と、無線基地局ＨｅＮＢ２が、交換局ＭＭＥから受信したハンドオーバ要求信号（ＨＯ  ＲＥＱＵＥＳＴ）に含まれている所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）に基づいて、移動局ＵＥに対して非登録移動局用のリソース割り当て処理を行う工程とを更に有してもよい。
【００８９】
本実施形態の第３の特徴は、無線基地局ＨｅＮＢ２であって、交換局ＭＭＥとの間のＳ１コネクションを確立する際に、交換局ＭＭＥに対して、無線基地局ＨｅＮＢ２のＣＳＧ-ＩＤ＝＃３１及びアクセスモード＃１を通知するように構成されているＳ１コネクション制御部１２を具備することを要旨とする。
【００９０】
本実施形態の第４の特徴は、無線基地局ＨｅＮＢ２であって、ゲートウェイ装置ＨｅＮＢ-ＧＷとの間のＳ１コネクションを確立する際に、ゲートウェイ装置ＨｅＮＢ-ＧＷに対して、無線基地局ＨｅＮＢ２のＣＳＧ-ＩＤ＝＃３１及びアクセスモード＃１を通知するように構成されているＳ１コネクション制御部１２を具備することを要旨とする。
【００９１】
本実施形態の第５の特徴は、交換局ＭＭＥであって、無線基地局ＨｅＮＢ２との間のＳ１コネクションを確立する際に、無線基地局ＨｅＮＢ２のＣＳＧ-ＩＤ＝＃３１及びアクセスモード＃１を取得するように構成されているＳ１コネクション制御部３１と、取得したＣＳＧ-ＩＤ＝＃３１とアクセスモード＃１とを関連付けて記憶するように構成されている管理部３２とを具備することを要旨とする。
【００９２】
本実施形態の第５の特徴において、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び自身によって管理されている移動局ＵＥのＣＳＧ-ＩＤに基づいて、移動局ＵＥが無線基地局ＨｅＮＢ２における登録移動局或いは非登録移動局のいずれであるのかについて判定し、無線基地局ｅＮＢから受信したハンドオーバ要求信号（ＨＯ  ＲＥＱＵＩＲＥＤ）に含まれる無線基地局ＨｅＮＢ２のＣＳＧ-ＩＤ＝＃３１及び管理部３２に基づいて、無線基地局ＨｅＮＢ２のアクセスモード＃１を判定するように構成されている判定部３４と、移動局ＵＥが無線基地局ＨｅＮＢ２における非登録移動局であり、無線基地局ＨｅＮＢ２が「Ｈｙｂｒｉｄ」で動作していると判定した場合に、無線基地局ＨｅＮＢ２に対して、所定情報（ＣＳＧ  Ｍｅｍｂｅｒ  Ｉｎｄｉｃａｔｉｏｎ/ＵＥ  Ｍｅｍｂｅｒ  Ｉｎｄｉｃａｔｉｏｎ  Ｂｉｔ）を含むハンドオーバ要求信号（ＨＯ  ＲＥＱＵＥＳＴ）を送信するように構成されているハンドオーバ処理部３３とを更に具備してもよい。
【００９３】
なお、上述の無線基地局ＨｅＮＢ、交換局ＭＭＥ、ゲートウェイ装置ＨｅＮＢ-ＧＷ及び移動局ＵＥの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＨｅＮＢ、交換局ＭＭＥ、ゲートウェイ装置ＨｅＮＢ-ＧＷ及び移動局ＵＥ内に設けられていてもよい。また、かかる記憶媒体及びプロセッサは、ディスクリートコンポーネントとして無線基地局ＨｅＮＢ、交換局ＭＭＥ、ゲートウェイ装置ＨｅＮＢ-ＧＷ及び移動局ＵＥ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９７】
ＨｅＮＢ…無線基地局
ＨｅＮＢ-ＧＷ…ゲートウェイ装置
ＭＭＥ…交換局
１１、２２、３２…管理部
１２、２１、３１…Ｓ１コネクション制御部
３３…ハンドオーバ処理部
３４…判定部
【図１】
2011078022.tif 000003
【図２】
2011078022.tif 000004
【図３】
2011078022.tif 000005
【図４】
2011078022.tif 000006
【図５】
2011078022.tif 000007
【図６】
2011078022.tif 000008
【図７】
2011078022.tif 000009